(57)【要約】【課題】筐体と壁を固定している壁固定金具において、地震等の揺れのため、長穴に螺着された固定具が長穴寸法分スライドして筐体の揺れてしまうのを抑制する。【解決手段】天面または側面をもつ略直方体の筐体１と壁３の間を固定する、長い一片４aと短い他片４ｂとを有したL字形状で、壁固定金具４の前記一片４aの長手方向に水平に延びる長穴６が開口された壁固定金具４において、長穴６に直交する方向に長穴６から連続して開口された溝部８を設ける。そして、固定具５が溝部８に引っかかることで、筐体１が長穴６の端までスライドしてしまうのを抑制することができる。【選択図】図５
2015028402.tif 000002
【特許請求の範囲】
【請求項１】
天面または側面をもつ略直方体の筐体と壁の間を固定する、長い一片と短い他片とを有したL字形状で、前記一片の長手方向に水平に延びる長穴が開口された壁固定金具において、前記長穴に直交する方向に前記長穴から連続して開口された溝部を設けたことを特徴とする壁固定金具。
【請求項２】
前記一片には、平行に並んだ少なくとも上側と下側の２本の前記長穴を設け、前記上側と下側の長穴にそれぞれ開口された前記溝部は、少なくとも１つの前記溝部の位置を長手方向に平行移動させて、前記上側の長穴の溝部と前記下側の長穴の溝部をずらして配置したことを特徴とした請求項１記載の壁固定金具。
【請求項３】
前記溝部は、幅狭の入り口部分と、前記入り口から連続して奥まった位置にあり、前記長手方向に水平に延びる、前記入り口部分の幅よりも広い長溝を設けたことを特徴とする請求項１または請求項２記載の壁固定金具。
【発明の詳細な説明】
【技術分野】
【０００１】
本発明は、筐体と壁とを固定する壁固定金具の構造に関する。
【背景技術】
【０００２】
従来よりこの種の、例えば貯湯式給湯機の筐体と壁を固定する壁固定金具はL字型の形状をしており、前記L字の長い部分には長手方向にのびる長穴が開口されている。そして、前記壁固定金具の短い部分と壁とをネジ等の固定具で固定し、長穴を介して長い部分と筐体の側面または天面とを前記固定具で固定するようにしているため、前記筐体設置時に筐体と壁との距離が適宜変更しても、長穴寸法分だけ前記固定具の螺着位置を変更することで確実に固定することができるものであった。
【先行技術文献】
【特許文献】
【０００３】
【特許文献１】特許第３７７００７９号公報
【特許文献２】特開平１０―３２３２４９号公報
【発明の概要】
【発明が解決しようとする課題】
【０００４】
ところが、この従来のものでは、前記筐体の側面または天面と壁とを前記長穴を介して固定している前記固定具が地震などの大きな揺れで緩んでしまったときに、前記固定具で固定しきれなくなった筐体が長穴寸法分の範囲を揺れてしまうため、筐体の揺れを抑制することができなかった。特に、例えば貯湯式給湯機のように重量のあるものであった場合は、貯湯式給湯機の脚の部分に負担がかかり、変形などの破損をしてしまうという問題があった。
【課題を解決するための手段】
【０００５】
本発明は上記課題を解決するため、天面または側面をもつ略直方体の筐体と壁の間を固定する、長い一片と短い他片とを有したL字形状で、前記一片の長手方向に水平に延びる長穴が開口された壁固定金具において、前記長穴に直交する方向に前記長穴から連続して開口された溝部を設けたものとした。
【０００６】
また、前記一片は、平行に並んだ少なくとも上側と下側の２本の前記長穴をもち、前記長穴に開口された前記溝部は、少なくとも１つの前記溝部の位置を長手方向に平行移動させて、上側と下側の前記溝部をずらして配置した。
【０００７】
また、前記溝部は、幅狭の入り口部分と、前記入り口から連続して奥まった位置にあり、前記長手方向に水平に延びる、前記入り口部分の幅よりも広い左右対称の長溝を設けた。
【発明の効果】
【０００８】
本発明によれば、地震等の揺れで筐体が傾いたときに、ネジ等の固定具が長穴に連続して開口された溝部に引っかかり、長穴の端までスライドするほど揺れてしまうのを抑制し、筐体の転倒や筐体および筐体脚部の破損や変形を防止することができる。
【図面の簡単な説明】
【０００９】
【図１】本発明の第１の実施形態の使用状態を説明する図
【図２】本発明の第１の実施形態の壁固定金具の斜視図
【図３】本発明の第１の実施形態の壁固定金具の正面図
【図４】本発明の第１の実施形態の使用状態における要部拡大説明図
【図５】本発明の第１の実施形態の使用状態における要部拡大説明図
【図６】本発明の第２の実施形態の壁固定金具の斜視図
【図７】本発明の第３の実施形態の壁固定金具の斜視図
【発明を実施するための形態】
【００１０】
次に、本発明の第１の実施形態の筐体と壁とを固定する壁固定金具の構成について図面にもとづいて説明する。
図１は筐体と壁を側面から見た図である。１は略直方体形状の筐体であり、例えば図示しない湯を貯湯する貯湯タンクを内側に備えた貯湯式給湯機の筐体である。２は貯湯式給湯機の筐体１を支えると共に図示しないアンカーボルトによって設置面に固定される脚部である。３は貯湯式給湯機の筐体１を設置する家屋等の壁である。４は貯湯式給湯機の筐体１の側面または天面と壁３を固定するL字型の壁固定金具、５は貯湯式給湯機の筐体１と前記L字型の壁固定金具４とを螺着したネジ等の固定具である。
【００１１】
図２、図３で示すように、壁固定金具４は、貯湯式給湯機の筐体１と固定される長い一片４aと、壁３と固定される短い他片４bとを有したL字状をしており、壁固定金具の長い一片４aには長手方向にそって２本の平行な長穴６が開口され、短い他片４ｂには壁固定用の穴部７が複数開口されている。また、長穴６の長手方向に直交する方向には、長穴６から連続して開口された溝部８が上下対称に複数設けられている。ここでは長穴６の長手方向の中心よりに上下３箇所ずつ計６つの溝部８が設けられている。溝部８の幅は固定具５の軸直径よりわずかに大きく、かつネジ頭径より小さく、長穴６の幅と略同寸としており、溝部８の深さは固定具５の軸直径の０．６〜１．５倍程度の深さとしている。
【００１２】
そして筐体の設置時には図４に示すように、家屋の壁３と壁固定金具４との短い他片４bを壁固定用の穴部７を介してネジ等で固定し、壁固定金具４の長い一片４aと貯湯式給湯機の筐体１とを長穴６を介して固定具５で固定する。そのとき、貯湯式給湯機の筐体１の設置位置は、長穴６の寸法範囲分だけ家屋の壁３との距離を適宜移動させることができるため、設置場所によって壁３との距離が異なっていても確実に固定することができる。
【００１３】
また、地震等の大きな揺れで、揺れの強さが固定具の締結力を超えると、貯湯式給湯機の筐体１は長穴６の寸法分の範囲をスライドする。しかし、長穴６が溝部８を持つ形状をしているので、図５で示すようにスライド時に固定具５が溝部８に引っかかり、貯湯式給湯機の筐体１が長穴６の端までスライドしてしまうのを抑制することができる。
【００１４】
このように、固定具５が溝部８に引っかかることによって、貯湯式給湯機の筐体１が大きく傾くことを抑制し、筐体１の脚部２に負担がかかることで起きる脚部２の破損や変形などを防止することができる。
【００１５】
次に壁固定金具４の溝部８の位置を変更した第２の実施形態について図５に基づいて説明する。ここでは、第１の実施形態第と同一のものは同一の符号を付してその説明を省略する。
【００１６】
ここで図５に示すように上側の長穴を６a、下側の長穴を６ｂ、上側の長穴６aに等間隔で複数設けられた上下対称の溝部を８a、下側の長穴６ｂに等間隔で複数設けられた上下対称の溝部を８ｂ、上側の溝部８aの垂直方向の中心線をA、下側の溝部８ｂの垂直方向の中心線をBと呼ぶこととする。
【００１７】
そして、溝部８aと溝部８ｂとは、中心線Aと中心線Bとの間に壁固定金具４の距離Cだけずらした位置に設けている。この距離Cは、筐体１が壁固定金具４の長手方向に１°から数°傾いた際に、筐体１に螺着される２本の固定具５が傾きの支点を軸に回転移動した場合の、上側と下側の固定具５間の水平方向の距離に基づいて適宜決められるものである。
【００１８】
このように、溝部８aと溝部８ｂとを距離Cだけずらして設けているため、地震等の大きな揺れのときに筐体１が傾いてしまったときでも固定具５が溝部８に無理なく入ることができることで、筐体１が大きく傾くことを抑制し、筐体１の脚部２に負担がかかることで起きる脚部２の破損や変形などを防止することができる。
【００１９】
なお、第１、第２の実施形態では、溝部８の形状をＵ字状で説明したが、これに限定されるものではなく、例えばＶ字状や四角状でもよいものとする。
【００２０】
次に壁固定金具４の溝部８の形状を変更した第３の実施形態について図６に基づいて説明する。ここでは、第１の実施形態と同一のものは同一の符号を付してその説明を省略する。
【００２１】
この第３の実施形態の溝部８は、幅狭の入り口９と、入り口９から連続して奥まった位置で、壁固定金具４の長い一片４aの長手方向に左右対称に広がる長溝１０とを有しているものである。
【００２２】
入り口９の形はテーパー状になっていて、長穴６付近の開口部分は広く、奥に行くほどに狭くなる形状をしている。入り口９の開口部分の幅は固定具５の軸直径ネジ頭径よりも小さく、長穴６の幅よりは大きい。長溝１０に近い部分の幅は固定具５の軸直径よりもわずかに大きく、かつネジ頭径よりも小さく長穴６の幅と略同寸としている。これにより、固定具５がスライドして、溝部８に入り込むときに入りやすく抜けにくい形状を作ることができる。
【００２３】
また、長溝１０の短手方向の幅も固定具５の軸直径よりもわずかに大きく、かつネジ頭径よりも小さく長穴６の幅と略同寸としていると共に長溝１０の長手方向の長さは固定具５の軸直径の１．５〜３倍程度の長さとしている。
【００２４】
このように、溝部８を入り口９とその奥に長溝１０を設けた構成としているため、長溝１０にはまった固定具が出て行きにくい特徴を持ち、地震等の大きな揺れのときに固定具５がスライドして入り口９から奥の長溝１０に入り込んだ際、揺れ幅を長溝１０の距離分で抑えることができ、上下の揺れに対しても長溝１０の出口部分が狭いので固定具５が容易に抜けるのを防ぐことができる。また、筐体１が大きく傾くことを抑制し、筐体１の脚部２に負担がかかることで起きる脚部２の破損や変形などを防止することもできる。
【００２５】
なお、本発明は第３の実施形態に限定されるものではなく、要旨を変更しない範囲で改変することを妨げるものではなく、例えば、溝部８の形状が湾曲した長溝状であったり、溝の形状が左右対称ではなく片方にだけ延びた形状であったり、入り口９のテーパー部分が逆向きテーパー状またはテーパーなしでも良いものである。
【００２６】
また、１から３の実施形態では、例えば、今回の筐体は貯湯式給湯機を例にあげたが、他にも天面及び側面を有した電気温水器や温水ボイラ等でも良いものである。
【符号の説明】
【００２７】
１    筐体
４    壁固定金具
４a   壁固定金具の一片
４b   壁固定金具の他片
５    ネジ等の固定具
６    長穴
７    壁固定用の穴部
８    溝部
８a   上側の溝部
８b   下側の溝部
９    入り口
１０  長溝
【図１】
2015028402.tif 000003
【図２】
2015028402.tif 000004
【図３】
2015028402.tif 000005
【図４】
2015028402.tif 000006
【図５】
2015028402.tif 000007
【図６】
2015028402.tif 000008
【図７】
2015028402.tif 000009